(57)【要約】      （修正有）【課題】吸水層と押圧層を交互に積み重ねることで、使用効率及び安全性を向上できる吸水マットを提供する。【解決手段】吸水マットは、主にフレーム１と、吸水領域２と、圧迫領域３と、を含む。フレーム１は、底層と、非水平方向の立て板を含む基台であり、フレーム内に上下相互に吸水領域と圧迫領域を配置する。使用者が前記吸水領域に踏み込む時、使用者の足部の水分を吸収除去し、同時に踏み込む力を利用し、前記圧迫領域に合わせて配置される圧迫顆粒３０が前記吸水領域の水分を吸い取り、該水分を下方に流し蓄積する。上記の構成により、前記吸水領域の能力が蓄水の増加により減少しないように維持することができる。【選択図】図３
0003156069.tif 000002
【実用新案登録請求の範囲】
【請求項１】
底層と、非水平方向の立て板と、を含む基台であり、フレーム内に上下相互に交替する吸水領域と圧迫領域を配置するフレームと、
水分を吸収できる空間であり、前記フレーム内の上層に設置され、前記吸水領域内に吸水材料を配置する吸水領域と、
前記吸水材料を圧迫でき、圧迫された水分を蓄積できる空間であり、前記フレーム内に設置され、且つ前記吸水領域の下層に位置し、前記圧迫領域内に中空状の圧迫顆粒を配置し、前記圧迫顆粒下縁に凸点を設ける圧迫領域と、
を含む吸水マット。
【請求項２】
前記フレーム上縁周囲が内向きに延伸し、前端が更に斜め下方向に延伸する設計を呈することを特徴とする請求項１記載の吸水マット。
【請求項３】
前記フレーム底部に滑り止め層を増設することを特徴とする請求項１記載の吸水マット。
【請求項４】
前記フレーム内の前記圧迫領域上に浸水布を増設することを特徴とする請求項１記載の吸水マット。
【請求項５】
前記圧迫領域側辺が前記フレームの底部に近隣する位置に合わせて排水弁を増設することを特徴とする請求項１記載の吸水マット。
【請求項６】
前記フレーム底部に前記排水弁の位置に合わせて水流方向を導引できる押し抜き斜面を設けることを特徴とする請求項５記載の吸水マット。
【請求項７】
前記圧迫領域内の圧迫顆粒は、前記押し抜き斜面に合わせて異なる大きさの形態を呈することを特徴とする請求項６記載の吸水マット。
【請求項８】
前記フレームの辺縁に斜辺を増設することを特徴とする請求項２記載の吸水マット。
【請求項９】
前記斜辺及び前記フレームが一体に成型される設計であることを特徴とする請求項８記載の吸水マット。
【考案の詳細な説明】
【技術分野】
【０００１】
本考案は、足踏みマットに関し、特に、給水及び蓄水機能を有する吸水マットに関する。
【背景技術】
【０００２】
現在、よく見られる足踏みマットは、主に汚れを落とすことと、水分を吸収する２種の用途があり、水分を吸収する足踏みマットは、何れも蓄水に極限を有し、一旦水分が足踏みマットに浸透してしまったら、交換の動作を行なわなければ、前記吸水足踏みマットは、吸水機能を失い、繰り返し踏まれた後、前記吸水足踏みマットを置いた床板周辺は、湿った状態を呈し、環境美観に影響を及ぼすだけでなく、使用者が滑る可能性がある。従って、上記の吸水足踏みマットの使用は、吸水効果に制限を有するだけでなく、交換を怠ることにより使用時の事故を招く可能性がある。
【先行技術文献】
【特許文献】
【０００３】
【特許文献１】特開平７−２７７０５５号公報
【考案の概要】
【考案が解決しようとする課題】
【０００４】
本考案の主要な目的は、使用効率及び安全性を向上できる吸水マットを提供することにある。
【課題を解決するための手段】
【０００５】
上記の目的を達成するため、本考案が提供する吸水マットは、主にフレームと、吸水領域と、押圧領域と、を含む。
フレームは、底層と、非水平方向の立て板を含む基台であり、フレーム内に上下相互に交替する吸水領域と圧迫領域を配置する。
吸水領域は、水分を吸収できる空間であり、前記フレーム内の上層に設置され、前記吸水領域内に吸水材料を配置する。
圧迫領域は、前記吸水材料を圧迫でき、圧迫された水分を蓄積できる空間であり、前記フレーム内に設置され、且つ前記吸水領域の下層に位置し、前記圧迫領域内に中空状の圧迫顆粒を配置し、前記圧迫顆粒下縁に凸点を設ける。
【考案の効果】
【０００６】
本設計に基づき、本実用新案は、使用者が前記吸水領域に踏み込む時、使用者の足部の水分を吸収除去し、同時に踏み込む力を利用し、前記圧迫領域に合わせて配置される前記圧迫顆粒が前記吸水領域の水分を吸い取り、該水分を下方に流し蓄積し、このように、前記吸水領域の能力が蓄水の増加により減少しないように維持することができ、使用者の足部と使用環境の乾燥を随時保持できるようにし、吸水マットの使用効率及び安全性を向上する効果を達成する。
【図面の簡単な説明】
【０００７】
【図１】本実用新案の吸水マットの第１実施例の立体分解説明図である。
【図２】本実用新案の吸水マットの第１実施例の立体説明図である。
【図３】本実用新案の吸水材料がカーペットである時、図２中のＡ−Ａ断面を表す断面説明図である。
【図４】本実用新案の吸水マットの第２実施例の立体分解説明図である。
【図５】本実用新案の吸水材料が吸水スポンジである時、図４中のＢ−Ｂ断面を表す断面説明図である。
【図６】本実用新案の吸水マットのフレーム及び斜辺が一体に成型される断面説明図である。
【図７】本実用新案の吸水マットの圧迫顆粒及び凸点が一体に成型される立体説明図である。
【考案を実施するための形態】
【０００８】
本実用新案の目的、効果及び構造の特徴を分かり易くするため、以下に実施例を挙げ、図面に併せて説明する。
【０００９】
図１〜図３から分かるように、本実用新案の吸水マットは、フレーム１と、吸水領域２と、圧迫領域３と、を有する。フレーム１は、底層及び非水平方向立て板を含む基台であり、前記フレーム１内に上下相互に交替する吸水領域２及び圧迫領域３を設置するので、前記フレーム１が各項機能領域の設定位置と接続を提供し、必要に応じて自由に組み立てることができる斜辺４を前記フレーム１辺縁に増設でき、地面と連続した平面を形成し、使用者が吸水マットを使用時、不注意で危険な使用状況（例えば、蹴る、躓く等）が発生することを回避し、障害のない空間の形成に便利であることができる。また、使用安全性を考慮し、前記フレーム１の底歩は、滑り止め層１０を加え、前記フレーム１底部と床板との間の摩擦力を増加し、使用時に吸水マットが皺くちゃになり、変位する等の問題を回避し、前記滑り止め層１０は、前記フレーム１と一体に成型することもできる（例えば、前記フレーム１底部に不規則な微粒の非平滑表面を形成する、前記フレーム１底部に高摩擦係数の塗料を塗布する等）。また、前記吸水領域２内の構成部材周囲が何れも前記フレーム１内に固定を維持し、使用者が蹴って吸水マットを翻すことを回避する為、前記フレーム１の上縁周囲は、内向きに延伸し前端が更に斜め下方向に延伸した設計を呈することができ、斜め下方向に延伸した部分は、前記吸水領域２内の構成部材辺縁を押さえることができ、同時にその端部の水平に切断した斜面の設計により、使用者に踏み込む時、平面の不連続な不快感を与えず、使用者の足部が不注意で引っかかり躓く状況を回避することができる。
【００１０】
吸水領域２は、水分を吸収できる空間であり、前記フレーム１内の最上層に設置され、前記吸水領域２内に吸水材料（例えば、カーペット２０、吸水スポンジ等）を設置する。一般の市場のマットは、何れも織品下方にエマルジョン塗層を加え、水分が下向に流動し、マット底部に防水、滑り防止の機能を持たせるが、ここで、使用するのは、エマルジョン塗層を有さず、浸水特性を備えるカーペット２０であるので、前記カーペット２０は、水分を吸収し、水分を下向に流し、そのうち、エマルジョン塗層を有さない前記カーペット２０は、繰り返し踏んだ後、織品繊維が脱落する問題が容易に発生するので、前記カーペット２０下方に浸水性の良好な浸水布２１を増設でき、前記カーペット２０を保護できるだけでなく、前記カーペット２０の使用寿命を延長できるだけでなく、更に、水分の吸収及び導流をより円滑にすることができる。同時、前記カーペット２０自身の非平滑表面は、依然として使用者に足部の汚れ（例えば、塵、泥等）を落とす効果を提供できるので、使用者は、吸水マットを踏む動作によって、前記カーペット２０が足部の残った水分を吸い取り、足部の乾燥を維持し、同時に前記カーペット２０の非平滑表面の表層が足部の汚れをそぎ取り環境の清潔を維持する。また、前記カーペット２０は、更に異なる要求に応じて、異なる色の織品繊維を利用し、多様化した字体又は図案を呈することができ、吸水マットの美観及び商業価値を向上する。
【００１１】
圧迫領域３は、前記カーペット２０を圧迫でき、圧迫された水分を蓄積できる空間であり、前記フレーム１内に設置され、且つ前記吸水領域２の下層に位置し、前記圧迫領域３内に２つ以上でアレイ状に配列された中空状圧迫顆粒３０を設置し、前記圧迫顆粒３０が中空状で形成されることは、材料を節減できるだけでなく、同時に、水分の蓄積空間を増加できる。水分の前記圧迫領域３中での流動を円滑にするため、前記圧迫顆粒３０下縁に下方の前記フレーム１の平面と完全に貼合しないように、水分を連通し各前記圧迫顆粒３０内の中空部位及び各前記圧迫顆粒３０が連なって形成する隙間に蓄積できるようにする。従って、前記カーペット２０が受圧時、下方の前記圧迫顆粒３０が逆向きの力を提供し、前記カーペット２０に圧迫を受けて該水分を排除し、圧迫された水分が順に下向に前記圧迫領域３内の蓄水空間まで流れ蓄積されるようにする。また、前記圧迫領域３側辺は、前記フレーム１の底部に近隣する位置に合わせて空間を開設し、隠蔽式の排水弁１１を設け、吸水マットが室内に設置され使用される時、前記排水弁１１を閉じ、前記カーペット２０が吸収した水分は、前記圧迫顆粒３０の圧迫を経た後、前記圧迫領域３内の蓄水空間に蓄積され、排水したい時に前記斜辺４を開き、付属の導水管１１０を組み合わせ、前記排水弁１１に接続し積水を排出することができる。吸水マットは、室外で使用時、前記排水弁１１を開き、前記カーペット２０が吸収した水分を圧迫顆粒３０の圧迫を経た後、前記排水弁１１が室外の地面に直接排出し、排出した身時が室外の地面の設計により、排水溝内に流すことができるので、大雨が降っても、吸水マットは、依然として良好な吸水性能を維持することができる。また、前記圧迫領域３及び前記フレーム１底層間に押し抜き斜面３１を増設でき、水流の方向を制御でき、排水をより容易且つ効率的にし、そのうち、前記圧迫領域３内の前記圧迫顆粒３０は、押し抜き斜面３１に合わせて異なる大きさの形態を呈することができる。
【００１２】
図４及び図５から分かるように、本実用新案が開示する吸水マットは、フレーム１と、吸水領域２と、圧迫領域３と、を含む。本実施例は、前記吸水領域２内に設置した吸水材料を吸水スポンジ２２に置き換えた時の吸水マット構造を説明するので、前記吸水領域２内に構造に変化をなすだけであり、前記フレーム１及び前記圧迫領域３の構造及び機能は、何れも前記実施例と同一であり、ここでは、再度記載しない。
【００１３】
前記吸水領域２内設置する吸水スポンジ２２は、極めて良好な吸水性を有するが、その構造密度は高くなく、繰り返し踏んだ後、前記吸水スポンジ２２が破裂、剥落する問題を生じ易いので、前記吸水スポンジ２２下方に浸水性の良好な浸水布２１を増設する以外に、前記吸水スポンジ２２上方に更に吸水布２３を増設する必要があり、浸水布２１及び吸水布２３の使用によって、前記吸水スポンジ２２を保護するだけでなく、前記吸水スポンジ２２の使用寿命を延長し、更に、水分の吸収及び導流をより円滑にする。
【００１４】
図６から分かるように、本実用新案が記載する吸水マットは、フレーム１と、吸水領域２と、圧迫領域３を含む。
【００１５】
フレーム１は、底層と、非水平方向立て板を含む基台であり、前記フレーム１周囲に前記フレーム１と一体に成型される斜辺４を延伸し、地面と連続した平面を形成し、使用者が吸水マット使用時に不注意で危険な使用状況（例えば、蹴る、躓く等）を発生することを回避し、障害のない空間の形成に便利でもある。前記フレーム１内に上下が交替する吸水領域２及び圧迫領域３を設置するので、前記フレーム１は、各項機能領域の設定位置と接続を提供する。
【００１６】
そのうち、１つの前記斜辺４内に前記フレーム１の底部に近隣する位置に開設する空間に合わせて隠蔽式の排水弁１１およびその排水通路を設け、排水したい時に、付属の導水管１１０を合わせて前記排水弁１１に接続詞、積水を排出できる。前記圧迫領域３及び前記フレーム１底層間に押し抜き斜面３１を増設でき、水流の方向を制御でき、排水をより容易且つ効率的にし、そのうち、前記圧迫領域３内の前記圧迫顆粒３０は、押し抜き斜面３１に合わせて異なる大きさの形態を呈することができる。
【００１７】
図７から分かるように、本実用新案の記載する圧迫顆粒３０及び凸点３００は、上下に連なる２つの構造であるので、粘着の方式を用いて前記圧迫顆粒３０及び前記凸点３００を接続し、一体に成型する技術を用いてこの２つの構造を結合し、この方法は、製造に便利であるだけでなく、更に２つの構造間の結合の安定を確認することができる。
【００１８】
これに基づき、本実用新案は、以下の利点を獲得する：
本実用新案が記載する吸水マットが圧迫領域及び蓄水領域を設け、吸水領域内の該水分を排除し、蓄水領域内に蓄積することができ、吸水領域の吸水能力を低減させず維持することができる。
本実用新案が記載する吸水マットは、水分を蓄積されたら戻らないようにし、使用環境の乾燥、清潔、美観を維持し、吸水マットの清掃及び交換の動作を回避し、人力コストを低減し、危険な動作（例えば、滑る）が発生する可能性を低減することができる。
本実用新案が記載する吸水マットは、排水弁を設け、適時吸水マット内の蓄水を室外に導引排出し、吸水マットが繰り返し使用でき、一般の吸水マットより長い使用寿命を有することができる。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２０】
１  フレーム
１０  滑り止め層
１１  排水弁
１１０  導水管
２  吸水領域
２０  カーペット
２１  浸水布
２２  吸水スポンジ
２３  吸水布
３  圧迫領域
３０  圧迫顆粒
３００  凸点
３１  押し抜き斜面
４  斜辺
【図１】
0003156069.tif 000003
【図２】
0003156069.tif 000004
【図３】
0003156069.tif 000005
【図４】
0003156069.tif 000006
【図５】
0003156069.tif 000007
【図６】
0003156069.tif 000008
【図７】
0003156069.tif 000009